(57)【要約】【課題】カプセル型内視鏡を固定可能に保持して、たとえば検査時などの必要な時にカプセル型内視鏡の駆動を確実に行うことを可能にするとともに、カプセル型内視鏡を容易に取り出すこと。【解決手段】中蓋部４２に設けられて上方へ曲げ癖をつけた取手部４２ｂを、ブリスターパック４１に設けられた取手部４１ｂに係合させて、中蓋部４２をブリスターパック４１内に収容させ、取り出す際には、自身の曲げ癖によって取手部４１ｂから離反する方向に復元して周囲に把持空間４４を形成することで取手部４２ｂを指で容易に把持することができ、中蓋部４２をブリスターパック４１から抜き出すことでカプセル型内視鏡を容易に取り出せるようにした。【選択図】        図５
2006296492.tif 000002
【特許請求の範囲】
【請求項１】
係合させた状態で互いの間にカプセル型内視鏡を保持するための保持空間領域を形成し、前記保持空間領域内に前記カプセル型内視鏡を収容して保持する分離自在な第１および第２の保持手段と、
前記第１および第２の保持手段のいずれか一方が有する分離取り出し用の把持部の周囲に把持空間を形成する把持空間形成部と、
を備えることを特徴とするカプセル型内視鏡の収容ケース。
【請求項２】
前記第１および第２の保持手段は、いずれか一方に設けられた第１のタグと、前記第１のタグから離反する方向に曲げ癖がつけられて他方に設けられ前記第１の保持手段と第２の保持手段とが係合された状態で前記第１のタグに載置されて前記把持部として機能する第２のタグとを備え、前記第２のタグは、前記把持空間形成部を構成することを特徴とする請求項１に記載のカプセル型内視鏡の収容ケース。
【請求項３】
前記第１および第２の保持手段は、いずれか一方に設けられた第１のタグと、折り曲げ自在に形成されて他方に設けられ前記第１の保持手段と第２の保持手段とが係合された状態で前記第１のタグに載置されて前記把持部として機能する第２のタグとを備え、
前記第２のタグを折り曲げ状態として前記第１および第２の保持手段の表面を覆う剥離自在なシール部材をさらに備え、
前記第２のタグは、前記シール部材の剥離状態で折り曲げ状態から復元して前記前記把持空間形成部を構成することを特徴とする請求項１に記載のカプセル型内視鏡の収容ケース。
【請求項４】
前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、
前記把持空間形成部は、前記第１のタグおよび第２のタグの対向面に位置して互いの間に浮き空間を形成する複数の突起により構成されることを特徴とする請求項１に記載のカプセル型内視鏡の収容ケース。
【請求項５】
前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、
前記第１のタグは、前記第２のタグが載置される部分に位置させて折り曲げ切断用の薄肉部を有し、
前記把持空間形成部は、前記第１のタグを前記薄肉部で折り曲げ切断して前記第２のタグの一部両面を露出させることにより把持空間を形成することを特徴とする請求項１に記載のカプセル型内視鏡の収容ケース。
【請求項６】
前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、
前記把持空間形成部は、前記第１のタグに形成されて、載置される前記第２のタグの先端部を押し上げるばね性を持たせた押し上げ部により構成されることを特徴とする請求項１に記載のカプセル型内視鏡の収容ケース。
【請求項７】
前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、
前記把持空間形成部は、前記第１のタグを前記第２のタグから離反する方向に折り曲げる折り曲げ構造により構成されることを特徴とする請求項１に記載のカプセル型内視鏡の収容ケース。
【請求項８】
前記把持空間形成部は、前記第１および第２の保持手段の他方に設けられて前記把持部の周囲に把持空間を形成するテーパー部により構成されることを特徴とする請求項１に記載のカプセル型内視鏡の収容ケース。
【請求項９】
前記第１および第２の保持手段の一部に形成されて一方を他方に対して斜め方向に引き抜かせる分離取り出し用の斜め引き抜き構造をさらに備えることを特徴とする請求項１〜８のいずれか一つに記載のカプセル型内視鏡の収容ケース。
【請求項１０】
係合させた状態で互いの間にカプセル型内視鏡を保持するための保持空間領域を形成し、前記保持空間領域内に前記カプセル型内視鏡を収容して保持する分離自在な第１および第２の保持手段と、
前記第１および第２の保持手段の一部に形成されて一方を他方に対して斜め方向に引き抜かせる分離取り出し用の斜め引き抜き構造と、
を備えることを特徴とするカプセル型内視鏡の収容ケース。
【請求項１１】
前記第１および第２の保持手段は、いずれか一方に設けられた第１のタグと、他方に設けられ前記第１の保持手段と第２の保持手段とが係合された状態で前記第１のタグに載置される第２のタグとを備え、
前記斜め引き抜き構造は、前記第１および第２の保持手段の前記第１のタグおよび第２のタグを備える側に設けられていることを特徴とする請求項１０に記載のカプセル型内視鏡の収容ケース。
【発明の詳細な説明】
【技術分野】
【０００１】
本発明は、被検体内に導入されて被検体内部の画像情報を取得する被検体内情報取得装置、たとえば飲み込み型のカプセル型内視鏡を収容するカプセル型内視鏡の収容ケースに関するものである。
【背景技術】
【０００２】
近年、内視鏡の分野では、撮像機能と無線機能とが装備されたカプセル型内視鏡が登場している。このカプセル型内視鏡は、観察（検査）のために被検体である被検者に飲み込まれた後、被検者の生体から自然排出されるまでの観察期間、胃、小腸などの臓器の内部（体腔内）をその蠕動運動に伴って移動し、撮像機能を用いて順次撮像する構成である。
【０００３】
また、これら臓器内の移動によるこの観察期間、カプセル型内視鏡によって体腔内で撮像された画像データは、順次無線通信などの無線機能により、被検体の外部に設けられた外部装置に送信され、外部装置内に設けられたメモリに蓄積される。被検者がこの無線機能とメモリ機能を備えた外部装置を携帯することにより、被検者は、カプセル型内視鏡を飲み込んだ後、排出されるまでの観察期間、不自由を被ることなく行動が可能になる。観察後は、医者もしくは看護士によって、外部装置のメモリに蓄積された画像データに基づいて、体腔内の画像をディスプレイなどの表示手段に表示させて診断を行うことができる。
【０００４】
この種のカプセル型内視鏡では、たとえば特許文献１に示すような飲み込み型のものがあり、カプセル型内視鏡の駆動を制御するため、内部に外部磁場によってオン・オフするリードスイッチを備え、この外部磁場を供給する永久磁石を含むパッケージに収容された構成が提案されている。すなわち、カプセル型内視鏡内に備わるリードスイッチは、一定強度以上の磁場が与えられた環境下では、オフ状態を維持し、外部磁場の強度が低下することによってオンする構造を有する。このため、パッケージに収容されている状態では、カプセル型内視鏡は駆動しない。そして、飲み込み時に、このカプセル型内視鏡をパッケージから取り出すことで、永久磁石から離隔してカプセル型内視鏡が磁力の影響を受けなくなり、駆動を開始する。このような構成を有することによって、パッケージ内に収容された状態では、カプセル型内視鏡の駆動が防止可能となり、パッケージから取り出し後は、カプセル型内視鏡の撮像機能による画像の撮像および無線機能による画像信号の送信が行われていた。
【０００５】
【特許文献１】国際公開第０１／３５８１３号パンフレット
【発明の開示】
【発明が解決しようとする課題】
【０００６】
しかしながら、このような装置では、カプセル型内視鏡をパッケージから取り出して被検体内に導入するまでには、ある程度の時間を要することから、その間にカプセル型内視鏡の各機能、たとえば撮像機能や無線機能などが駆動を開始し、この撮像機能によって画像の撮像動作がなされ、さらにこの無線機能によって得られた画像信号の無線送信動作がなされてしまい、このためにカプセル型内視鏡内に蓄積された電力が浪費されるという問題があった。
【０００７】
本発明は、上記問題に鑑みてなされたものであって、カプセル型内視鏡を固定可能に保持して、たとえば検査時などの必要な時にカプセル型内視鏡の駆動を確実に行うことを可能にするとともに、カプセル型内視鏡を容易に取り出すことができるカプセル型内視鏡の収容ケースを提供することにある。
【課題を解決するための手段】
【０００８】
上述した課題を解決し、目的を達成するために、請求項１の発明にかかるカプセル型内視鏡の収容ケースは、係合させた状態で互いの間にカプセル型内視鏡を保持するための保持空間領域を形成し、前記保持空間領域内に前記カプセル型内視鏡を収容して保持する分離自在な第１および第２の保持手段と、前記第１および第２の保持手段のいずれか一方が有する分離取り出し用の把持部の周囲に把持空間を形成する把持空間形成部と、を備えることを特徴とする。
【０００９】
請求項２にかかる発明のカプセル型内視鏡の収容ケースは、上記発明において、前記第１および第２の保持手段は、いずれか一方に設けられた第１のタグと、前記第１のタグから離反する方向に曲げ癖がつけられて他方に設けられ前記第１の保持手段と第２の保持手段とが係合された状態で前記第１のタグに載置されて前記把持部として機能する第２のタグとを備え、前記第２のタグは、前記把持空間形成部を構成することを特徴とする。
【００１０】
請求項３にかかる発明のカプセル型内視鏡の収容ケースは、上記発明において、前記第１および第２の保持手段は、いずれか一方に設けられた第１のタグと、折り曲げ自在に形成されて他方に設けられ前記第１の保持手段と第２の保持手段とが係合された状態で前記第１のタグに載置されて前記把持部として機能する第２のタグとを備え、前記第２のタグを折り曲げ状態として前記第１および第２の保持手段の表面を覆う剥離自在なシール部材をさらに備え、前記第２のタグは、前記シール部材の剥離状態で折り曲げ状態から復元して前記前記把持空間形成部を構成することを特徴とする。
【００１１】
請求項４にかかる発明のカプセル型内視鏡の収容ケースは、上記発明において、前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、前記把持空間形成部は、前記第１のタグおよび第２のタグの対向面に位置して互いの間に浮き空間を形成する複数の突起により構成されることを特徴とする。
【００１２】
請求項５にかかる発明のカプセル型内視鏡の収容ケースは、上記発明において、前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、前記第１のタグは、前記第２のタグが載置される部分に位置させて折り曲げ切断用の薄肉部を有し、前記把持空間形成部は、前記第１のタグを前記薄肉部で折り曲げ切断して前記第２のタグの一部両面を露出させることにより把持空間を形成することを特徴とする。
【００１３】
請求項６にかかる発明のカプセル型内視鏡の収容ケースは、上記発明において、前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、前記把持空間形成部は、前記第１のタグに形成されて、載置される前記第２のタグの先端部を押し上げるばね性を持たせた押し上げ部により構成されることを特徴とする。
【００１４】
請求項７にかかる発明のカプセル型内視鏡の収容ケースは、上記発明において、前記第１および第２の保持手段は、いずれか一方に設けられた第１のタグと、他方に設けられ前記第１の保持手段と第２の保持手段とが係合された状態で前記第１のタグに載置されて前記把持部として機能する第２のタグとを備え、前記把持空間形成部は、前記第１のタグを前記第２のタグから離反する方向に折り曲げる折り曲げ構造により構成されることを特徴とする。
【００１５】
請求項８にかかる発明のカプセル型内視鏡の収容ケースは、上記発明において、前記把持空間形成部は、前記第１および第２の保持手段の他方に設けられて前記把持部の周囲に把持空間を形成するテーパー部により構成されることを特徴とする。
【００１６】
請求項９にかかる発明のカプセル型内視鏡の収容ケースは、上記発明において、前記第１および第２の保持手段の一部に形成されて一方を他方に対して斜め方向に引き抜かせる分離取り出し用の斜め引き抜き構造をさらに備えることを特徴とする。
【００１７】
請求項１０にかかる発明のカプセル型内視鏡の収容ケースは、係合させた状態で互いの間にカプセル型内視鏡を保持するための保持空間領域を形成し、前記保持空間領域内に前記カプセル型内視鏡を収容して保持する分離自在な第１および第２の保持手段と、前記第１および第２の保持手段の一部に形成されて一方を他方に対して斜め方向に引き抜かせる分離取り出し用の斜め引き抜き構造と、を備えることを特徴とする。
【００１８】
請求項１１にかかる発明のカプセル型内視鏡の収容ケースは、上記発明において、前記第１および第２の保持手段は、いずれか一方に設けられた第１のタグと、他方に設けられ前記第１の保持手段と第２の保持手段とが係合された状態で前記第１のタグに載置される第２のタグとを備え、前記斜め引き抜き構造は、前記第１および第２の保持手段の前記第１のタグおよび第２のタグを備える側に設けられていることを特徴とする。
【発明の効果】
【００１９】
本発明にかかるカプセル型内視鏡の収容ケースは、係合させることによって、カプセル型内視鏡を保持するための保持空間領域を形成する第１および第２の保持手段に対して、いずれか一方が有する分離取り出し用の把持部の周囲に把持空間を形成する把持空間形成部を備えることで、カプセル型内視鏡を固定可能に保持して、たとえば検査時などの必要な時にカプセル型内視鏡の駆動を確実に行うことを可能にするとともに、把持空間を利用して把持部を把持して第１および第２の保持手段の一方を他方から分離取り出しすることでカプセル型内視鏡を容易に取り出すことができるという効果を奏する。
【発明を実施するための最良の形態】
【００２０】
以下に、本発明にかかるカプセル型内視鏡の収容ケースの実施の形態を図１〜図２８の図面に基づいて詳細に説明する。なお、本発明は、これらの実施の形態に限定されるものではなく、本発明の要旨を逸脱しない範囲で種々の変更実施の形態が可能である。
【００２１】
（実施の形態１）
図１は、本発明にかかる無線型被検体内情報取得システムの概念を示すシステム概念図である。図１において、このカプセル型内視鏡システムは、被検体１の体腔内に導入される無線型被検体内情報取得装置としての飲み込み型のカプセル型内視鏡２と、被検体１の外部に配置されて、カプセル型内視鏡２との間で各種の情報を無線通信する体外装置である受信装置３とを備えている。また、無線型被検体内情報取得システムは、受信装置３が受信したデータに基づいて画像表示を行う表示装置４と、受信装置３と表示装置４間でデータの入出力を行う携帯型記録媒体５とを備えている。
【００２２】
図２は、図１に示したカプセル型内視鏡の概略構成を示す縦断側面図である。カプセル型内視鏡２は、図２の縦断側面図に示すように、外装ケースである密閉容器１１と、密閉容器１１内にあって、たとえば体腔内の被検体部位を照明するための照明光を出射するＬＥＤなどの複数の発光素子２０（以下、「ＬＥＤ２０」という）と、照明光による反射光を受光して被検体部位を撮像するＣＣＤやＣＭＯＳなどの固体撮像素子２２（以下代表して、「ＣＣＤ２２」という）と、このＣＣＤ２２に被写体の像を結像させる結像レンズ２７と、このＣＣＤ２２で取得した画像情報などをＲＦ信号に変調して送信するＲＦ送信ユニット２４と、ＲＦ信号の電波を放出する送信アンテナ部２５と、電池２９などの構成要素を備える。
【００２３】
密閉容器１１は、人が飲み込める程度の大きさのものであり、略半球状の先端カバー１１ａと、筒形状の胴部カバー１１ｂとを弾性的に嵌合させて、内部を液密に封止する外装ケースを形成している。先端カバー１１ａは、略半球状のドーム形状であって、ドームの後側が円形状に開口している。この先端カバー１１ａは、透明性あるいは透光性を有する透明部材、たとえば光学的性能や強度を確保するのに好ましいシクロオレフィンポリマーあるいはポリカーボネイトなどで成形され、かつその表面を鏡面仕上げ加工が施された後述する鏡面仕上げ部１１ａ１を有し、ＬＥＤ２０からの照明光を密閉容器１１の外部に透過することを可能にするとともに、この照明光による被検体からの反射光を内部に透過することを可能にする。この鏡面仕上げ部１１ａ１は、ＣＣＤ２２の撮像範囲などによって決まる所定の鏡面仕上げ範囲（図２中、一点鎖線ａ，ａで示す範囲）に形成される。
【００２４】
また、胴部カバー１１ｂは、先端カバー１１ａの後端に位置して、上記構成要素を覆う部材である。この胴部カバー１１ｂは、円筒形状の胴部と、略半球状のドーム形状の後端部を一体に形成し、この胴部の前側が円形状に開口している。この胴部カバー１１ｂは、強度を確保するのに好ましいポリサルフォンなどで形成され、照明手段としてＬＥＤ２０、撮像手段としてのＣＣＤ２２および電池２９を胴部に収容し、無線送信手段としてのＲＦ送信ユニット２４および送信アンテナ部２５を後端部に収容している。
【００２５】
図３は、図２に示したカプセル型内視鏡の内部構成を示すブロック図である。カプセル型内視鏡２は、図３のブロック図に示すように、密閉容器１１の内部に、ＬＥＤ２０およびＬＥＤ２０の駆動状態を制御するＬＥＤ駆動回路２１と、ＬＥＤ２０によって照射された領域からの反射光である体腔内の画像（被検体内情報）を結像レンズ２７を介して撮像するＣＣＤ２２およびＣＣＤ２２の駆動状態を制御するＣＣＤ駆動回路２３と、無線送信手段としてのＲＦ送信ユニット２４および送信アンテナ部２５とを備えている。
【００２６】
また、カプセル型内視鏡２は、これらＬＥＤ駆動回路２１、ＣＣＤ駆動回路２３およびＲＦ送信ユニット２４の動作を制御するシステムコントロール回路２６を備えることにより、このカプセル型内視鏡２が被検体１内に導入されている間、ＬＥＤ２０によって照射された被検部位の画像データをＣＣＤ２２によって取得するように動作している。この取得された画像データは、さらにＲＦ送信ユニット２４によってＲＦ信号に変換され、送信アンテナ部２５を介して被検体１の外部に送信されている。さらに、カプセル型内視鏡２は、システムコントロール回路２６に電力を供給する電池２９を備えており、システムコントロール回路２６は、電池２９から供給される駆動電力を他の構成要素（機能実行手段）に対して分配する機能を有している。
【００２７】
このシステムコントロール回路２６は、たとえば各構成要素と電池２９との間に接続された切り替え機能を有するスイッチ素子およびラッチ回路などを備えている。そして、このラッチ回路は、外部からの磁界が加わると、スイッチ素子をオン状態にし、それ以降はこのオン状態を保持して、電池２９からの駆動電力をカプセル型内視鏡２内の各構成要素に供給している。なお、本実施の形態１では、カプセル型内視鏡２内に備わる撮像機能を有する撮像手段、照明機能を有する照明手段および無線機能を有する無線送信手段を総称して、所定の機能を実行する機能実行手段としている。具体的には、システムコントロール回路２６を除いたものは、あらかじめ設定された所定の機能を実行する機能実行手段である。
【００２８】
受信装置３は、図１に示すように、カプセル型内視鏡２から無線送信された体腔内の画像データを受信する無線受信手段としての機能を有する。この受信装置３は、被検体１に着用されるとともに、図示しない複数の受信用アンテナを有する受信ジャケット３１と、受信された無線信号の信号処理などを行う外部装置３２とを備える。
【００２９】
表示装置４は、カプセル型内視鏡２によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００３０】
携帯型記録媒体５は、外部装置３２および表示装置４にも接続可能であって、両者に対して装着されて、接続された時に情報の出力または記録が可能な構造を有する。本実施の形態では、携帯型記録媒体５は、カプセル型内視鏡２が被検体１の体腔内を移動している間は、外部装置３２に挿入されてカプセル型内視鏡２から送信されるデータを記録する。次に、カプセル型内視鏡２が被検体１から排出された後、つまり、被検体１の内部の撮像が終了した後には、外部装置３２から取り出されて表示装置４に挿入され、この表示装置４によって、携帯型記録媒体５に記録されたデータが読み出される構成を有する。たとえば、この携帯型記録媒体５は、コンパクトフラッシュ（登録商標）メモリなどから構成され、外部装置３２と表示装置４とのデータの入出力を、携帯型記録媒体５を介して間接的に行うことができ、外部装置３２と表示装置４との間が有線で直接接続された場合と異なり、被検体１が体腔内の撮影中に自由に動作することが可能となる。
【００３１】
ところで、機能実行手段を備えるカプセル型内視鏡は、被検者への使用前には、滅菌されてその滅菌状態を保つ必要がある。そこで、本実施の形態１では、上記のカプセル型内視鏡２を滅菌可能な収容ケースに収容している。以下に図４〜図１２を用いて、本実施の形態１にかかる収容ケースを説明する。ここで、図４は、このカプセル型内視鏡を収容する本実施の形態１にかかる収容ケースの構成を示す斜視図であり、図５は、図４に示した収容ケースから滅菌シートを取り除いた場合の一例を示す斜視図であり、図６は、図５に示した収容ケースの上面を示す上面図であり、図７は、同じく収容ケースの側面を示す側面図であり、図８は、図５に示した本実施の形態１にかかる中蓋部の上面を示す上面図であり、図９は、同じく本実施の形態１にかかる中蓋部の側面を示す側面図であり、図１０は、図９に示した突出部の拡大したＡ−Ａ断面を示す断面図であり、図１１は、図５に示した収容ケースの上面を示す上面図であり、図１２は、図１１のＢ−Ｂ断面を示す断面図である。
【００３２】
まず、図４および図５において、収容ケース４０は、カプセル型内視鏡２を内部に収容可能な外部収容部からなるブリスターパック４１と、ブリスターパック４１内に備えられ、ブリスターパック４１との間でカプセル型内視鏡２を保持する内部収容部からなる中蓋部４２と、ブリスターパック４１の上面に設けられて、ブリスターパック４１の開口を閉塞する滅菌シート４３とを備える。なお、ブリスターパック４１および中蓋部４２は、それぞれ第１および第２の保持手段を構成し、滅菌シート４３はシール部材を構成している。
【００３３】
ブリスターパック４１は、図６および図７に示すように、有底の円筒部４１ａと、この円筒部４１ａの開口上縁の一部に設けられた舌片形状の取手部４１ｂと、円筒部４１ａの開口上縁および取手部４１ｂの外周に設けられた縁部４１ｃと、円筒部４１ａの周面に設けられ、円筒部４１ａの内部から外部方向に突出した略半円柱形状の複数の突起部４１ｄとを備える。
【００３４】
円筒部４１ａは、底面４１ｅを有し、この底面４１ｅは、円筒部４１ａの外周側に設けられた外側底面４１ｅ１と、この外側底面４１ｅ１の略中央部分に設けられた内側底面４１ｅ２とからなる。内側底面４１ｅ２は、所定半径の円盤形状に形成され、外側底面４１ｅ１は、内側底面４１ｅ２の位置から円筒部４１ａの外部（開口方向と逆方向）に向けて突出した底面からなり、下面が所定の幅を有する中空のドーナツ形状に形成されている。この外側底面４１ｅ１と内側底面４１ｅ２との間には、図７に示すように、高低差Ｄが生じている。また、内側底面４１ｅ２の中央部分には、内側底面４１ｅ２の位置から外側底面４１ｅ１方向に向けて窪んだ略半球形状の保持部４１ｅ３が設けられている。この保持部４１ｅ３は、カプセル型内視鏡２の胴部カバー１１ｂを構成するドーム形状の後端部を保持するためのもので、内側には開口方向に向って十文字形状の突起部４１ｅ４が設けられ、線接触で保持された胴部カバー１１ｂの後端部へ滅菌ガスが侵入して、この後端部全体をムラなく滅菌することを可能にしている。なお、この突起部４１ｅ４は、複数の突起で構成し、後端部をそれぞれ点接触で保持するように構成することも可能である。
【００３５】
本発明にかかる第１のタグとしての取手部４１ｂは、上面が略三角形状の板状部材からなり、図５に示すように、後述する中蓋部４２の把持部として機能する第２のタグとしての取手部４２ｂが当接可能に構成されている。縁部４１ｃは、所定の幅を有し、円筒部４１ａの開口上縁および取手部４１ｂの外周に、階段状に１段高く設けられている。また、この縁部４１ｃの高さは、取手部４１ｂに当接した中蓋部４２の取手部４２ｂや縁部４２ｃの厚みと同等以上に構成されており、この中蓋部４２がブリスターパック４１内に収容された状態で、縁部４１ｃの上面に滅菌シート４３の貼り付けを可能にしている。
【００３６】
突起部４１ｄは、円筒部４１ａの長手方向に設けられた略半円柱形状の突起からなり、上端（円筒部４１ａの開口側）の径が最も大きく下端（底面４１ｅ側）にいくにしたがって径が徐々に小さくなるように構成され、かつ円筒部４１ａの長手方向に沿ってそれぞれが略等間隔に配置されている。この突起部４１ｄは、上端が開口し、下端が半ドーム形状の底面を形成している。なお、本実施の形態１では、円筒部４１ａの周面に５つの突起部４１ｄがそれぞれ略等間隔に配置されている。
【００３７】
中蓋部４２は、図８および図９に示すように、有底の円筒部４２ａと、この円筒部４２ａの開口上縁の一部に設けられた舌片形状の取手部４２ｂと、円筒部４２ａの開口上縁に取手部４２ｂと連なるように設けられた縁部４２ｃと、円筒部４２ａの内部から外部方向に突出した略半円柱形状の複数の突起部４２ｄとを備える。
【００３８】
円筒部４２ａは、図８〜図１２に示すように、底面４２ｅを有し、この底面４２ｅの中央部分には、カプセル型内視鏡２を保持するための孔を有する突出部４２ｅ１が設けられている。この突出部４２ｅ１は、底面４２ｅの位置から円筒部４２ａの内部（開口方向）に向けて突出した上面を有する略円筒の断面凸形状に形成されており、その内径は、カプセル型内視鏡２の外径より若干大きい内径で構成されている。この突出部４２ｅ１の内周には、突出部４２ｅ１の開口に向う長手方向に直線状の突起４２ｅ２が複数、本実施の形態１では４つ形成されている。また、この突出部４２ｅ１の上面側には、段差部４２ｅ３が設けられており、この段差部４２ｅ３の内径は、突出部４２ｅ１の開口側の内径よりも、小さい径で構成されている。図１２に示すように、中蓋部４２がブリスターパック４１内に収容された時に、この円筒部４２ａの突出部４２ｅ１を含む底面４２ｅおよびブリスターパック４１の保持部４１ｅ３を含む内側底面４１ｅ２は、本発明にかかる保持空間領域４０ａを形成しており、カプセル型内視鏡２を収容して保持することを可能としている。
【００３９】
本実施の形態１では、図９、図１２に示すように、突出部４２ｅ１にカプセル型内視鏡２の先端カバー１１ａ側が挿入された時に、一点鎖線ａ，ａの範囲内の鏡面仕上げ部１１ａ１が突起４２ｅ２および段差部４２ｅ３を含む突出部４２ｅ１の構成部分と非接触な状態になるように、突起４２ｅ２が密閉容器１１の胴部カバー１１ｂの一部を線接触で保持するとともに、段差部４２ｅ３の先端部が先端カバー１１ａの一部を線接触で保持するように構成されている。なお、これら突起４２ｅ２は、突出部４２ｅ１の長手方向に直線状に形成させるものに限らず、たとえば突出部４２ｅ１に複数の突起部を設け、密閉容器１１の胴部カバー１１ｂの一部をそれぞれ点接触で保持するように構成することも可能である。
【００４０】
本発明にかかる把持部として機能する第２のタグとしての取手部４２ｂは、上面が取手部４１ｂより略小型の略三角形状の板状部材からなり、図５、図８、図１１に示すように、円筒部４２ａの開口上縁に設けられた縁部４２ｃと一体的に形成されている。この取手部４２ｂは、中蓋部４２の他の部分とは異なり、２段階の成形過程を経ることにより、図５、図９等に示すように、取手部４１ｂから離反する方向に曲げ癖がつけられて形成されている。このような取手部４２ｂは、中蓋部４２がブリスターパック４１内に収容され、滅菌シート４３をヒートシールすることで閉塞された状態では平坦状となって、図１２に示すように、ブリスターパック４１の取手部４１ｂと当接可能に構成されている。したがって、滅菌シート４３の剥離状態では、取手部４２ｂは曲げ癖による復元力により、図５や図１２中の仮想線に示すように、取手部４１ｂから離反する状態に復元し、取手部４２ｂの周囲に把持空間４４を形成する。本実施の形態１において、この取手部４２ｂは、本発明にかかる把持空間形成部を構成している。
【００４１】
また、縁部４２ｃは、円筒部４２ａの開口上縁に設けられ、中蓋部４２がブリスターパック４１内に収容された時に、ブリスターパック４１の開口上縁に当接可能に構成されている。上述したように、これら取手部４２ｂおよび縁部４２ｃの厚みは、ブリスターパック４１の縁部４１ｃの厚み以下に構成されている。そして、この中蓋部４２がブリスターパック４１内に収容された時に、縁部４１ｃの上面に滅菌シート４３が貼り付けられると、これら取手部４２ｂおよび縁部４２ｃを含む中蓋部４２全体が、ブリスターパック４１内に収容された状態になる。
【００４２】
突起部４２ｄは、円筒部４２ａの長手方向に設けられた略半円柱形状の突起からなり、円筒部４２ａの長手方向に沿ってそれぞれが略等間隔に配置されている。この突起部４２ｄは、上端が開口し、下端が半ドーム形状の底面を形成している。なお、本実施の形態１では、円筒部４２ａの周面に５つの突起部４２ｄがそれぞれ略等間隔に配置されている。これら突起部４２ｄは、中蓋部４２がブリスターパック４１内に収容されて取手部４１ｂと取手部４２ｂが当接した状態で、それぞれがブリスターパック４１の突起部４１ｄと対向しない位置で、かつ突起部４２ｄの最突出部分が円筒部４１ａの内周面と接触可能に形成されて、ブリスターパック４１内での中蓋部４２のガタツキを防止している。
【００４３】
図５、図１１、図１２に示すように、ブリスターパック４１の突起部４１ｄの内周面と、中蓋部４２の円筒部４２ａの外周面との間には、空隙による通路４０ｂが形成されており、滅菌シート４３を介して外部から侵入した滅菌ガスの通過を可能にしている。また、この通路４０ｂと保持空間領域４０ａとは互いに連通しており、通路４０ｂを通った滅菌ガスが保持空間領域４０ａへ到達するのを可能にしている。
【００４４】
このように、本実施の形態１では、中蓋部４２をブリスターパック４１内に収容する際に、図５、図１２に示すように、製造されたカプセル型内視鏡２を、中蓋部４２の底面４２ｅに保持させ、この中蓋部４２をブリスターパック４１内に収容させることで、中蓋部４２の底面４２ｅとブリスターパック４１の内側底面４１ｅ２とによって形成された保持空間領域４０ａにカプセル型内視鏡２を収容して、保持部４１ｅ３および突出部４２ｅ１で保持することでカプセル型内視鏡２を収容ケース４０内にセットする。次に、この収容ケース４０の開口に滅菌シート４３をヒートシールした後に、収容ケース４０全体をＥＯＧ滅菌にかけることで、収容ケース４０内部の菌が滅菌され、点接触または線接触で保持空間領域４０ａ内に保持されるカプセル型内視鏡２全体をムラなく、確実に滅菌状態にすることができる。また、本実施の形態１では、ヒートシールされた滅菌シート４３により新たな菌の収容ケース４０内への侵入を防ぐことで、収容ケース内の滅菌状態を保持することができる。
【００４５】
次に、カプセル型内視鏡２をブリスターパック４１内から取り出す際には、まず、滅菌シート４３を剥離して取り除く。この状態では、図５や図１２中の仮想線に示すように、中蓋部４２の取手部４２ｂが自身の曲げ癖によって取手部４１ｂから離反する上方にカールした状態に復元し、取手部４２ｂの周囲に把持空間４４を形成するので、取手部４２ｂを簡単に把持することができる。そこで、取手部４２ｂを指で摘んで持ち上げることで、中蓋部４２をブリスターパック４１内から取り出すと、カプセル型内視鏡２は、誰の手にも触れられることなく、中蓋部４２の突出部４２ｅ１に保持された状態で容易に取り出される。
【００４６】
このように、本実施の形態１では、カプセル型内視鏡をブリスターパックと中蓋部で保持し、かつ中蓋部の取手部に曲げ癖をつけておき滅菌シートを剥離した状態では把持空間を形成して容易に把持できるようにすることにより、カプセル型内視鏡を固定可能に保持するとともに、中蓋部の取手部の把持により、カプセル型内視鏡を容易に取り出すことができる。
【００４７】
また、本実施の形態１では、収容ケースからカプセル型内視鏡を取り出す直前、すなわち検査時などの必要な時にカプセル型内視鏡を以下に説明するカプセル型内視鏡用電源スターターを用いて、各機能の駆動を開始することができるので、必要な時にのみカプセル型内視鏡を駆動させることができ、カプセル型内視鏡内に蓄積された電力の浪費を防ぐことも可能である。
【００４８】
次に、図１３〜図１９を参照して、カプセル型内視鏡用電源スターターについて説明する。図１３は、電源動作可能範囲を説明するための図１１と同様の断面図であり、図１４は、カプセル型内視鏡用電源スターターの側面を示す側面図であり、図１５は、カプセル型内視鏡用電源スターターの上面を示す上面図であり、図１６は、カプセル型内視鏡用電源スターターを取り付けた状態での図１１のＢ−Ｂ断面を示す断面図であり、図１７は、図３に示したカプセル型内視鏡のシステムコントロール回路の回路構成を示す回路図であり、図１８は、図１６に示した磁性体によって発生する磁界とカプセル型内視鏡の関係を示す模式図であり、図１９は、図１７に示したカプセル型内視鏡の電源供給開始動作を説明するためのフローチャートである。
【００４９】
まず、カプセル型内視鏡２は、図１３に示すように、内部に外部からの磁界によってオン／オフ動作を行う電源供給用のリードスイッチ２ａを有しており、このリードスイッチ２ａがオン状態になって各機能実行手段に電源が供給されたことを、図２に示したＬＥＤ２０の点滅によって外部に知らしめる。このリードスイッチ２ａは、カプセル型内視鏡２の長手方向の略中央部に設けられており、リードスイッチ２ａから半径ｒ内に、図示しない永久磁石が近づいて所定の磁力が加わると、オンして電源動作が可能な球形状の電源動作可能範囲２ｂを有している。本実施の形態１では、たとえばブリスターパック４１の底面４１ｅおよび中蓋部４２の底面４２ｅの直径は、この電源動作可能範囲２ｂの直径２ｒより長く構成されている。また、本実施の形態１では、電源動作可能範囲２ｂは、カプセル型内視鏡２がブリスターパック４１の保持部４１ｅ３と中蓋部４２の突出部４２ｅ１とに保持された時に、内側底面４１ｅ２と保持部４１ｅ３を含み、かつ外側底面４１ｅ１と内側底面４１ｅ２の高さの範囲内に設定されるとともに、突出部４２ｅ１を含み、かつ円筒部４２ａの高さの範囲内に設定されている。
【００５０】
そこで、使用時には、滅菌シート４３を収容ケース４０から剥離させ、中蓋部４２の円筒部４２ａ内側に磁性体（磁石）を収納し、この収納された磁性体の磁界によってリードスイッチ２ａをオン状態にし、透明または半透明の突出部４２ｅ１からＬＥＤ２０の点滅状態を確認することが可能となる。すなわち、突出部４２ｅ１は、カプセル型内視鏡２の保持および保護機能の他に、ＬＥＤ２０の点滅確認を容易にするための機能を有している。
【００５１】
そこで、本実施の形態１では、使用時には、図１４、図１５に示すようなカプセル型内視鏡用電源スターター（以下、単に「電源スターター」という）５１を用いてリードスイッチ２ａをオフ状態からオン状態である電源供給状態に切り替える。
【００５２】
この電源スターター５１は、上部に設けられた取手部５１ａと、下部に設けられた円筒形状の円筒部５１ｂとから構成され、これら取手部５１ａと円筒部５１ｂとは一体的に形成されている。また、この円筒部５１ｂの長手方向には、取手部５１ａの中央部分に貫通する穴部５１ｃが設けられている。
【００５３】
取手部５１ａは、図１４、図１５に示すように、上面が略楕円形状に、かつ側面が略台形形状に構成されている。また、円筒部５１ｂは、底面５１ｄの内壁側に磁性体５１ｅが内設されている。また、図１６に示すように、穴部５１ｃは、底面５１ｄ側の径が中蓋部４２の突出部４２ｅ１の径よりも若干大きく形成され、かつ穴部５１ｃの途中から上方に向って、この穴部５１ｃの径はテーパー形状に大きく形成されている。また、この穴部の長さは、中蓋部４２の突出部４２ｅ１の長さよりも長く構成されている。したがって、滅菌シート４３が収容ケース４０から剥離されると、電源スターター５１が中蓋部４２の上面側から突出部４２ｅ１全体を覆うように係合することが可能となる。なお、この穴部５１ｃの径が上方でテーパー状に大きくなっているのは、カプセル型内視鏡２のＬＥＤ２０が点灯した際に、その確認を容易にするためである。また、逆にこの穴部５１ｃの径を上方でテーパー状に小さくなるように構成し、かつ電源スターター５１をたとえば黒っぽい色で形成して、作業者が穴部５１ｃの開口からＬＥＤ２０の点灯を容易に認識することも可能となる。
【００５４】
円筒部５１ｂの外径（直径）は、たとえばリードスイッチ２ａの電源動作可能範囲２ｂの直径２ｒよりも小さく形成されており、この円筒部５１ｂ内に設けられた磁性体５１ｅは、たとえば円筒部５１ｂの内壁と同様に湾曲した所定の大きさの四角形状の磁石から形成されている。この磁性体５１ｅは、電源スターター５１が中蓋部４２の突出部４２ｅ１を覆うように係合すると、電源動作可能範囲２ｂ内に入り、磁性体５１ｅの磁界によってリードスイッチ２ａをオン状態にし、穴部５１ｃからＬＥＤ２０の点灯状態を確認することが可能となる。
【００５５】
次に、図３に示したカプセル型内視鏡２のシステムコントロール回路２６の回路構成を、図１７の回路図を用いて説明する。図１７において、システムコントロール回路２６は、一端が接地され、かつ他端が後述するラッチ回路と接続される電源供給用スイッチとしてのリードスイッチ２ａと、ラッチ回路を構成するフリップフロップ２６ｂ，２６ｃと、フリップフロップ２６ｂ，２６ｃに接続されてスイッチ素子として機能するＦＥＴ（電界効果トランジスタ）２６ｄ，２６ｅとを備える。リードスイッチ２ａは、外部から加わる磁界によってオン／オフ動作を行い、フリップフロップ２６ｂ，２６ｃは、このリードスイッチ２ａのオン／オフ動作によってクロックが入力すると、ＦＥＴ２６ｄ，２６ｅを順次オン状態にセットしている。
【００５６】
すなわち、外部から磁界が加わると、リードスイッチ２ａは、オン動作を行い、図中のａ点ではハイ（Ｈ）レベルからロー（Ｌ）レベルになる。また、磁界が加わらなくなると、リードスイッチ２ａは、オフ動作を行い、ａ点ではＬレベルからＨレベルに変化する。この動作によりフリップフロップ２６ｂのＣＫ端子にクロックが入力する。フリップフロップ２６ｂでは、ａ点でのＬレベルからＨレベルの立ち上がりエッジを分周した信号がＱ出力される（ｂ点の信号）。ＦＥＴ２６ｄは、フリップフロップ２６ｂのＱ出力がＬレベルでオン状態になり、電池２９からＬＥＤ駆動回路２１とＣＣＤ駆動回路２３に電力が供給されて起動し、ＬＥＤ２０とＣＣＤ２２の駆動が可能となり、ＬＥＤ２０は点灯する。
【００５７】
次に外部から磁界が加わると、ａ点では、再びＨレベルからＬレベルになる。この動作によりフリップフロップ２６ｂのＱ出力は、Ｈレベルになり（ｂ点の信号）、ＦＥＴ２６ｄは、オフ状態になって、この回路全体への電力供給が停止して、ＬＥＤ２０は消灯する。また次に外部から磁界が加わると、ａ点では、再びＨレベルからＬレベルになる。この動作によりフリップフロップ２６ｂのＱ出力は、Ｌレベルになり（ｂ点の信号）、ＦＥＴ２６ｄは、オン状態になって、電池２９からＬＥＤ駆動回路２１とＣＣＤ駆動回路２３に電力が供給されることとなり、ＬＥＤ２０が点灯する。このように、ＦＥＴ２６ｄは、リードスイッチ２ａに磁界を加えることによって、いわゆるトグル動作でオンすることになる。
【００５８】
また、フリップフロップ２６ｂのＱ出力は、ＲＦ送信ユニット２４のみを起動させるための機能を有するフリップフロップ２６ｃのクロック端子に入力する。フリップフロップ２６ｃでは、ｂ点でのＬレベルからＨレベルの立ち上がりエッジを分周した信号がＱ出力される（ｃ点の信号）。したがって、ＦＥＴ２６ｅは、２回目の磁界印加によるリードスイッチ２ａのオン動作によって、オン状態になり、４回目の磁界印加によるリードスイッチ２ａのオン動作によって、オフ状態になる。このため、３回目の磁界印加の際に、ＦＥＴ２６ｄ，２６ｅがともにオン状態となるので、電池２９からＲＦ送信ユニット２４にも電力が供給されることとなる。本実施の形態１では、たとえば工場出荷時には、上記１回目の磁界印加状態に設定しておいて、被検者への使用時には、３回の磁界印加によって、ＬＥＤ２０、ＣＣＤ２２およびＲＦ送信ユニット２４全てが駆動可能になるようにするのが好ましい。
【００５９】
上記の動作を行わせるためには、図１８に示すように、リードスイッチ２ａが、磁性体５１ｅから発生する磁界Ｅを切る必要があり、磁力の方向が違うと、磁力がリードスイッチ２ａに及ばず、リードスイッチ２ａがオン状態に切り替わらなくなる。そこで、本実施の形態１では、突出部４２ｅ１にカプセル型内視鏡２が保持された状態で、電源スターター５１をカプセル型内視鏡２の円周方向に最大９０度回転させれば、必ずリードスイッチ２ａが磁界Ｅを切る状態となるので、磁性体５１ｅの磁力がリードスイッチ２ａに及んでリードスイッチ２ａが電源供給状態になり、ＬＥＤ２０を点灯させることができる。
【００６０】
次に、カプセル型内視鏡２の電源供給開始動作を、図１９のフローチャートに基づいて説明する。図において、まずカプセル型内視鏡２を使用する前には、図４に示した滅菌状態の収容ケース４０から滅菌シート４３を図５に示すように剥離して（ステップＳ１０１）、電源スターター５１を中蓋部４２に挿入して突出部４２ｅ１に取り付ける（ステップＳ１０２）。次に、この取り付け状態において、看護師などの作業者が電源スターター５１の取手部５１ａを摘んで、電源スターター５１をカプセル型内視鏡２の円周方向に最大９０度回転させて、カプセル型内視鏡２のリードスイッチ２ａに磁界を加える（ステップＳ１０３）。
【００６１】
このように、電源スターター５１によってリードスイッチ２ａに磁界が加わると、リードスイッチ２ａがオンし、電池２９からの電力がＬＥＤ駆動回路２１、ＣＣＤ駆動回路２３及びＲＦ送信ユニット２４に供給されて、各機能が駆動してＬＥＤ２０の点灯を初め、ＣＣＤ２２の撮像及びＲＦ送信ユニット２４の画像情報の送信が可能となる（ステップＳ１０４）。作業者は、ＬＥＤ２０の点灯を穴部５１ｃの開口から確認することができる。
【００６２】
このように、本実施の形態１では、磁性体を備えた電源スターターを、カプセル型内視鏡を保持させた中蓋部に取り付けて、中蓋部の外側から磁性体でカプセル型内視鏡に磁界を加えることで、カプセル型内視鏡の電源供給用スイッチであるリードスイッチをオフ状態からオン状態（電源供給状態）に切り替えることができるので、カプセル型内視鏡の各機能の駆動開始を任意のタイミング、たとえば被検者への使用直前で行えるようにして、カプセル型内視鏡内に蓄積された電力消費を抑えることができる。
【００６３】
（実施の形態２）
次に、本発明の実施の形態２を図２０および図２１を参照して説明する。図２０は、滅菌シートを取り除いた場合の本実施の形態２の収容ケースの上面を示す上面図であり、図２１は、図２０のＢ−Ｂ断面を示す断面図である。
【００６４】
本実施の形態２では、中蓋部４２は、曲げ癖をもたせた取手部４２ｂに代えて、断面的に見てくさび形状等により少し細く形成された折り曲げ部４２ｆ1を円筒部４２ａの近傍で接線方向とほぼ平行に有する折り曲げ自在な取手部４２ｆを備えている。この取手部４２ｆは、平面的形状は取手部４２ｂと同様であるが、滅菌シート４３のヒートシール時には、図２１に示すように、折り曲げ部４２f１部分で内側（円筒部４２ａ側）に折り曲げ状態として閉塞されるように構成されている。したがって、滅菌シート４３の剥離状態では、取手部４２ｆは、自身の有する復元力により、図２０中の実線や図２１中に仮想線に示すように、完全でないが、上方へ浮き上がる状態に復元し、取手部４２ｆの周囲に把持空間４４を形成する。本実施の形態２において、この取手部４２ｆは、本発明にかかる把持空間形成部を構成している。
【００６５】
本実施の形態２において、カプセル型内視鏡２をブリスターパック４１内から取り出す際には、まず、滅菌シート４３を剥離して取り除く。この状態では、図２０中の実線や図２１中の仮想線に示すように、中蓋部４２の取手部４２ｆ自身の弾力的な復元力によって折り曲げ状態から上方に浮き上がる状態に復元し、取手部４２ｆの周囲に把持空間４４を形成するので、取手部４２ｆを簡単に把持することができる。そこで、取手部４２ｆを指で摘んで持ち上げることで、中蓋部４２をブリスターパック４１内から取り出すと、カプセル型内視鏡２は、誰の手にも触れられることなく、中蓋部４２の突出部４２ｅ１に保持された状態で容易に取り出される。
【００６６】
このように、本実施の形態２では、カプセル型内視鏡をブリスターパックと中蓋部で保持し、かつ中蓋部の取手部を折り曲げておき滅菌シートを剥離した状態では復元力により把持空間を形成して容易に把持できるようにすることにより、カプセル型内視鏡を固定可能に保持するとともに、中蓋部の取手部の把持により、カプセル型内視鏡を容易に取り出すことができる。
【００６７】
（実施の形態３）
次に、本発明の実施の形態３を図２２および図２３を参照して説明する。図２２は、滅菌シートを取り除いた場合の本実施の形態３の収容ケースを示す斜視図であり、図２３は、図２２の断面図である。
【００６８】
本実施の形態３では、中蓋部４２は、取手部４２ｂに代えて、把持が容易なように、取手部４２ｂの場合よりも小型に形成されて、取手部４１ｂの先端側との間に指を入れ得る隙間４５を有し把持部として機能する第２のタグとなる取手部４２ｇを備えている。この取手部４２ｇは、取手部４１ｂ上に載置されるが、取手部４１ｂとの対向面に位置してこの取手部４１ｂ側に突出させて形成した複数個の突起４２ｈを有し、取手部４１ｂとの間に把持空間としての浮き空間４６を形成している。本実施の形態３において、この突起４２ｈは、本発明にかかる把持空間形成部を構成している。本実施の形態３では、取手部４２ｇ側に突起４２ｈを形成するようにしたが、取手部４１ｂ側に取手部４２ｇ側に向けた突起部を形成するようにしてもよい。
【００６９】
また、本実施の形態３では、ブリスターパック４１は、取手部４１ｂに関して、単なる平板形状ではなく、縁部４１ｃを除く部分を凹部４１ｆとして一段低い形状に形成することにより、構造的に補強されているとともに、凹部４１ｆの円筒部４１ａに近い部分が柔軟性を有する折り曲げ容易部４１ｇとなって図２３中に仮想線で示すように直線的に折り曲げ可能な折り曲げ構造４７が実現されている。本実施の形態３においては、このような折り曲げ構造４７も、本発明にかかる把持空間形成部を構成している。
【００７０】
本実施の形態３において、カプセル型内視鏡２をブリスターパック４１内から取り出す際には、まず、滅菌シート４３を剥離して取り除く。次に、隙間４５部分を通して中蓋部４２の取手部４２ｇを指で把持する。この時、取手部４２ｇに形成された突起４２ｈにより取手部４１ｂとの間に把持空間としての浮き空間４６が形成されているので、取手部４２ｇ，４１ｂ同士は密着しておらず、指が入りやすくなり取手部４２ｇを簡単に把持することができる。また、取手部４２ｇは複数の突起４２ｈを有するので、取手部４２ｇを把持した場合に滑り止めともなる。そこで、取手部４２ｇを指で摘んで持ち上げることで、中蓋部４２をブリスターパック４１内から取り出すと、カプセル型内視鏡２は、誰の手にも触れられることなく、中蓋部４２の突出部４２ｅ１に保持された状態で容易に取り出される。
【００７１】
一方、本実施の形態３では、ブリスターパック４１側においても、取手部４１ｂが折り曲げ容易部４１ｇを有するので、中蓋部４２の取手部４２ｇを把持するに際して、図２３中に仮想線で示すように取手部４１ｂを取手部４２ｇから離反する方向に折り曲げることにより、取手部４１ｂは湾曲状ではなく折り曲げ容易部４１ｇを支点として直線的に折れ曲がり、取手部４２ｇの周囲に把持空間４４を大きく形成することができ、取手部４２ｇを容易に把持することができる。
【００７２】
このように、本実施の形態３では、カプセル型内視鏡をブリスターパックと中蓋部で保持し、かつ中蓋部の取手部にブリスターパックの取手部との間に浮き空間を形成する複数の突起を設けておき、これらの取手部同士を密着状態とはせずに浮き空間を利用して中蓋部の取手部を容易に把持できるようにすることにより、カプセル型内視鏡を固定可能に保持するとともに、中蓋部の取手部の把持により、カプセル型内視鏡を容易に取り出すことができる。
【００７３】
また、別の面からみた本実施の形態３では、カプセル型内視鏡をブリスターパックと中蓋部で保持し、かつブリスターパックの取手部を中蓋部の取手部から離反する方向に折り曲げる折り曲げ構造を有し、ブリスターパックの取手部を折り曲げることにより把持空間を形成して中蓋部の取手部を容易に把持できるようにすることにより、カプセル型内視鏡を固定可能に保持するとともに、中蓋部の取手部の把持により、カプセル型内視鏡を容易に取り出すことができる。
【００７４】
（実施の形態４）
次に、本発明の実施の形態４を図２４−１、図２４−２を参照して説明する。図２４−１は、本実施の形態４の収容ケースの取手部付近を拡大して示す部分断面図であり、図２４−２は、そのブリスターパック側の取手部を開放させた状態の収容ケースの取手部付近を拡大して示す部分断面図である。
【００７５】
本実施の形態４では、ブリスターパック４１は、取手部４１ｂに代えて、中蓋部４２側の平坦形状の取手部４２ｉが載置される部分に位置させて折り曲げ切断用の薄肉部４１ｇが切り込みにより形成された取手部４１ｈを備えている。薄肉部４１ｇは取手部４１ｈを横断する方向に形成されており、この取手部４１ｈの先端部側を滅菌シート４３とともに把持して滅菌シート４３を剥離させる方向に折り曲げ操作することにより、取手部４１ｈの先端側は図２４−２に示すように薄肉部４１ｇで切断されて分離片４１ｈ１となる構成である。このように取手部４１ｈを薄肉部４１ｇで折り曲げて切断し、中蓋部４２の取手部４２ｉの先端側両面を露出状態とさせることにより取手部４２ｉに対して把持空間４４を形成するものであり、本実施の形態４において、滅菌シート４３と一体的な分離片４１ｈ１は、本発明にかかる把持空間形成部を構成している。
【００７６】
本実施の形態４において、カプセル型内視鏡２をブリスターパック４１内から取り出す際には、まず、滅菌シート４３を剥離して取り除く。この際、取手部４１ｈの先端部も滅菌シート４３と一緒に把持し、滅菌シート４３を剥離させる方向に折り曲げ操作する。この操作に伴い、取手部４１ｈの先端側は図２４−２に示すように薄肉部４１ｇで切断されて分離片４１ｈ１となり、取手部４１ｈと滅菌シート４３とにより閉塞されていた中蓋部４２の取手部４２ｉの先端側両面は露出状態となり、取手部４２ｉの両面には把持空間４４が形成される。そこで、この取手部４２ｉを指で摘んで持ち上げることで、中蓋部４２をブリスターパック４１内から取り出すと、カプセル型内視鏡２は、誰の手にも触れられることなく、中蓋部４２の突出部４２ｅ１に保持された状態で容易に取り出される。
【００７７】
このように、本実施の形態４では、カプセル型内視鏡をブリスターパックと中蓋部で保持し、かつ、ブリスターパック側の取手部に折り曲げ切断用の薄肉部を形成しておき、この取手部を薄肉部で折り曲げ切断することで中蓋部側の取手部の一部を露出させて把持空間を形成して容易に把持できるようにすることにより、カプセル型内視鏡を固定可能に保持するとともに、中蓋部の取手部の把持により、カプセル型内視鏡を容易に取り出すことができる。また、滅菌シートも剥離しやすくなる。
【００７８】
（実施の形態５）
次に、本発明の実施の形態５を図２５および図２６を参照して説明する。図２５は、滅菌シートを取り除いた場合の本実施の形態５の収容ケースを示す斜視図であり、図２６は、図２５の取手部付近を拡大して示す部分断面図である。
【００７９】
本実施の形態５では、ブリスターパック４１の取手部４１ｂは、その先端側に位置させて、中蓋部４２側の取手部４２ｉの先端部を上方に押し上げるばね性を持たせた一体に形成された押し上げ部４１ｉを備えている。縁部４１ｃの上面に滅菌シート４３がヒートシールされた状態では、この押し上げ部４１ｉは取手部４２ｉ等とともに滅菌シート４３により閉塞された状態となる。この滅菌シート４３が剥離されると、押し上げ部４１ｉは自身の有するばね性により上方へ持ち上がり、取手部４２ｉの先端部を押し上げて、図２６に拡大して示すようにこの取手部４２ｉの周囲に把持空間４４を形成する。本実施の形態５において、押し上げ部４１ｉは、本発明にかかる把持空間形成部を構成している。
【００８０】
本実施の形態５において、カプセル型内視鏡２をブリスターパック４１内から取り出す際には、まず、滅菌シート４３を剥離して取り除く。この状態では、図２５や図２６に示すように、押し上げ部４１ｉが自身の有するばね性により上方へ持ち上がり、取手部４２ｉの先端部を押し上げて、取手部４２ｉの周囲に把持空間４４を形成するので、取手部４２ｉを簡単に把持することができる。そこで、取手部４２ｉを指で摘んで持ち上げることで、中蓋部４２をブリスターパック４１内から取り出すと、カプセル型内視鏡２は、誰の手にも触れられることなく、中蓋部４２の突出部４２ｅ１に保持された状態で容易に取り出される。
【００８１】
このように、本実施の形態５では、カプセル型内視鏡をブリスターパックと中蓋部で保持し、かつ、ブリスターパック側の取手部に中蓋部側の取手部の先端部を押し上げるばね性を持たせた押し上げ部を形成しておき滅菌シートを剥離した状態では押し上げ部によって中蓋部側の取手部の先端部を押し上げて把持空間を形成して容易に把持できるようにすることにより、カプセル型内視鏡を固定可能に保持するとともに、中蓋部の取手部の把持により、カプセル型内視鏡を容易に取り出すことができる。
【００８２】
（実施の形態６）
次に、本発明の実施の形態６を図２７を参照して説明する。図２７は、本実施の形態６の収容ケースを示す断面図である。本実施の形態６では、中蓋部４２は、取手部が省略され、円筒部４２ａの一部、たとえばブリスターパック４１の取手部４１ｂ側の一部を分離取り出し用の把持部４２ｊとして有する。また、ブリスターパック４１は、円筒部４１ａと取手部４１ｂとの間を結ぶ部分に上方に向けて拡開するように形成されたテーパー部４１ｊを備えている。これにより、テーパー部４１ｊは把持部４２ｊの周囲に指が入り得る把持空間４４を形成しており、本実施の形態６において、テーパー部４１ｊは、本発明にかかる把持空間形成部を構成している。
【００８３】
本実施の形態６において、カプセル型内視鏡２をブリスターパック４１内から取り出す際には、まず、滅菌シート４３を剥離して取り除く。この状態では、中蓋部４２の把持部４２ｊの周囲にはテーパー部４１ｊによって把持空間４４が形成されているので、把持部４２ｊを簡単に把持することができる。そこで、把持部４２ｊを指で摘んで持ち上げることで、中蓋部４２をブリスターパック４１内から取り出すと、カプセル型内視鏡２は、誰の手にも触れられることなく、中蓋部４２の突出部４２ｅ１に保持された状態で容易に取り出される。
【００８４】
このように、本実施の形態６では、カプセル型内視鏡をブリスターパックと中蓋部で保持し、かつ、ブリスターパック側に中蓋部側の把持部の周囲に把持空間を形成するテーパー部を形成しておき滅菌シートを剥離した状態ではテーパー部によって中蓋部側の把持部の周囲に把持空間が確保され容易に把持できるようにすることにより、カプセル型内視鏡を固定可能に保持するとともに、中蓋部の取手部の把持により、カプセル型内視鏡を容易に取り出すことができる。
【００８５】
（実施の形態７）
次に、本発明の実施の形態７を図２８を参照して説明する。図２８は、本実施の形態７の収容ケースを示す断面図である。本実施の形態６では、たとえば曲げ癖をつけた取手部４２ｂを備える実施の形態１の構成に加えて、ブリスターパック４１と中蓋部４２とは、円筒部４１ａ，４２ａのそれぞれ取手部４１ｂ，４２ｂを備える側部分に上方に向けて拡開するように形成されたテーパー部４１ｋ，４２ｋを備えている。テーパー部４１ｋ，４２ｋは、平行に形成され、取手部４２ｂを把持して中蓋部４２をブリスターパック４１に対してテーパー部４１ｋ，４２ｋに従いスライドさせることにより斜め方向に引き抜きを可能としており、斜め引き抜き構造４８を構成している。なお、取手部等の構造に関しては、取手部４２ｂに限らず、取手部４２ｆ，４２ｇ，４１ｈ，４１ｉ等による構造であってもよい。
【００８６】
本実施の形態７において、カプセル型内視鏡２をブリスターパック４１内から取り出す際には、まず、滅菌シート４３を剥離して取り除く。この状態では、図５や図１２中の仮想線に示したように、中蓋部４２の取手部４２ｂが自身の曲げ癖によって取手部４１ｂから離反する上方にカールした状態に復元し、取手部４２ｂの周囲に把持空間４４を形成するので、取手部４２ｂを簡単に把持することができる。そこで、取手部４２ｂを指で摘んで持ち上げる。この際、取手部４２ｂを把持して中蓋部４２をブリスターパック４１に対してテーパー部４１ｋ，４２ｋに従いスライドさせることにより図２８中に矢印で示すように斜め方向に引き抜き可能であり、ブリスターパック４１から中蓋部４２を垂直方向に引き出すよりも抜き出しやすい。また、テーパー部４１ｋ，４２ｋが把持する取手部４２ｂ側に位置しているので、抜き出し操作がしやすい。このようにして、中蓋部４２をブリスターパック４１内から取り出すと、カプセル型内視鏡２は、誰の手にも触れられることなく、中蓋部４２の突出部４２ｅ１に保持された状態で容易に取り出される。
【００８７】
このように、本実施の形態７では、カプセル型内視鏡をブリスターパックと中蓋部で保持し、かつ、ブリスターパックと中蓋部との一部に斜め方向に引き抜かせる分離取り出し用のテーパー部による斜め引き抜き構造を形成しておき、中蓋部の取手部を把持して斜め引き抜き構造に従い斜め方向に引き抜くことにより垂直方向に引き抜く場合よりも簡単に中蓋部を引き抜くことができ、カプセル型内視鏡を容易に取り出すことができる。
【図面の簡単な説明】
【００８８】
【図１】本発明にかかる無線型被検体内情報取得システムの概念を示すシステム概念図である。
【図２】図１に示したカプセル型内視鏡の概略構成を示す縦断側面図である。
【図３】図２に示したカプセル型内視鏡の内部構成を示すブロック図である。
【図４】カプセル型内視鏡を収容する実施の形態１にかかる収容ケースの構成を示す斜視図である。
【図５】図４に示した収容ケースから滅菌シートを取り除いた場合の一例を示す斜視図である。
【図６】図５に示した収容ケースの上面を示す上面図である。
【図７】同じく、収容ケースの側面を示す側面図である。
【図８】図５に示した実施の形態１にかかる中蓋部の上面を示す上面図である。
【図９】同じく、実施の形態１にかかる中蓋部の側面を示す側面図である。
【図１０】図９に示した突出部の拡大したＡ−Ａ断面を示す断面図である。
【図１１】図５に示した収容ケースの上面を示す上面図である。
【図１２】図１１のＢ−Ｂ断面を示す断面図である。
【図１３】電源動作可能範囲を説明するための図１１と同様の断面図である。
【図１４】カプセル型内視鏡用電源スターターの側面を示す側面図である。
【図１５】カプセル型内視鏡用電源スターターの上面を示す上面図である。
【図１６】カプセル型内視鏡用電源スターターを取り付けた状態での図１１のＢ−Ｂ断面を示す断面図である。
【図１７】図３に示したカプセル型内視鏡のシステムコントロール回路の回路構成を示す回路図である。
【図１８】図１６に示した磁性体によって発生する磁界とカプセル型内視鏡の関係を示す模式図である。
【図１９】図１７に示したカプセル型内視鏡の電源供給開始動作を説明するためのフローチャートである。
【図２０】滅菌シートを取り除いた場合の本発明の実施の形態２の収容ケースの上面を示す上面図である。
【図２１】図２０のＢ−Ｂ断面を示す断面図である。
【図２２】滅菌シートを取り除いた場合の本発明の実施の形態３の収容ケースを示す斜視図である。
【図２３】図２２の断面図である。
【図２４−１】本発明の実施の形態４の収容ケースの取手部付近を拡大して示す部分断面図である。
【図２４−２】ブリスターパック側の取手部を開放させた状態の収容ケースの取手部付近を拡大して示す部分断面図である。
【図２５】滅菌シートを取り除いた場合の本発明の実施の形態５の収容ケースを示す斜視図である。
【図２６】図２５の取手部付近を拡大して示す部分断面図である。
【図２７】本発明の実施の形態６の収容ケースを示す断面図である。
【図２８】本発明の実施の形態７の収容ケースを示す断面図である。
【符号の説明】
【００８９】
２  カプセル型内視鏡
４０  収容ケース
４０ａ  保持空間領域
４１  ブリスターパック
４１ｂ，４１ｈ  取手部
４１ｇ  薄肉部
４１ｉ  押し上げ部
４１ｊ，４１ｋ  テーパー部
４２  中蓋部
４２ｂ，４２ｆ，４２ｇ，４２ｉ  取手部
４２ｈ  突起
４２ｊ  把持部
４２ｋ  テーパー部
４３  滅菌シート
４４  把持空間
４６  浮き空間
４７  折り曲げ構造
４８  斜め引き抜き構造
【図１】
2006296492.tif 000003
【図２】
2006296492.tif 000004
【図３】
2006296492.tif 000005
【図４】
2006296492.tif 000006
【図５】
2006296492.tif 000007
【図６】
2006296492.tif 000008
【図７】
2006296492.tif 000009
【図８】
2006296492.tif 000010
【図９】
2006296492.tif 000011
【図１０】
2006296492.tif 000012
【図１１】
2006296492.tif 000013
【図１２】
2006296492.tif 000014
【図１３】
2006296492.tif 000015
【図１４】
2006296492.tif 000016
【図１５】
2006296492.tif 000017
【図１６】
2006296492.tif 000018
【図１７】
2006296492.tif 000019
【図１８】
2006296492.tif 000020
【図１９】
2006296492.tif 000021
【図２０】
2006296492.tif 000022
【図２１】
2006296492.tif 000023
【図２２】
2006296492.tif 000024
【図２３】
2006296492.tif 000025
【図２４−１】
2006296492.tif 000026
【図２４−２】
2006296492.tif 000027
【図２５】
2006296492.tif 000028
【図２６】
2006296492.tif 000029
【図２７】
2006296492.tif 000030
【図２８】
2006296492.tif 000031